(57)【要約】ＯＦＤＭＡ通信におけるトーン割り振りをシグナリングするための方法および装置が本明細書で開示される。一態様において、方法は、複数の通信デバイス間で複数のトーンを分けるトーン割り振りを決定することを含み、トーン割り振りは、複数のサブバンドを決定することと、各サブバンドは、複数のトーンの排他的な連続するサブセットを備え、前記複数のサブバンドのうちの少なくとも１つのサブバンドは、複数のワイヤレス通信の２つ以上のデバイスに割り当てられる、複数のワイヤレス通信デバイスの各ワイヤレス通信デバイスにトーングループサイズを割り当てることと、ここにおいてトーングループサイズは、ワイヤレス通信デバイスが割り振られる連続するトーンの数を示し、少なくとも１個のトーングループサイズが１よりも大きい、のうちの少なくとも１つを含む。方法はまた、複数のワイヤレス通信デバイスの各々にトーン割り振りを送信することを含む。【選択図】図７
2017533621.tif 000002
【特許請求の範囲】
【請求項１】
複数のワイヤレス通信デバイス間でトーンを割り振る方法であって、
前記複数のワイヤレス通信デバイス間で複数のトーンを分けるトーン割り振りを決定することと、ここにおいて前記トーン割り振りは、
１つまたは複数のサブバンドを決定することと、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループサイズを割り当てることと、ここにおいて前記トーングループサイズは、前記ワイヤレス通信デバイスが前記サブバンド内で割り振られる連続するトーンの数を示す、
を備える、
前記ワイヤレス通信デバイスに前記トーン割り振りの少なくとも一部分のインジケーションを送信することと、
を備える方法。
【請求項２】
前記複数のトーンの各トーンが、前記複数のワイヤレス通信デバイスのうちの１つのワイヤレス通信デバイスにのみ割り振られ、前記トーン割り振りは、アップリンクまたはダウンリンク直交周波数分割多元接続メッセージのうちの１つのために使用される、請求項１に記載の方法。
【請求項３】
前記ワイヤレス通信デバイスに前記トーン割り振りの少なくとも一部分の前記インジケーションを送信することは、メッセージのヘッダにおいて前記インジケーションを送信することを備える、請求項１に記載の方法。
【請求項４】
前記ワイヤレス通信デバイスに前記トーン割り振りの少なくとも一部分の前記インジケーションを送信することは、トリガメッセージにおいて前記インジケーションを送信することを備える、請求項１に記載の方法。
【請求項５】
前記トーン割り振りを使用して前記複数のワイヤレス通信デバイスの各々にダウンリンクメッセージを送信することをさらに備える、請求項１に記載の方法。
【請求項６】
前記トーン割り振りを使用して前記ワイヤレス通信デバイスによって送信された、アップリンクメッセージを受信することをさらに備える、請求項１に記載の方法。
【請求項７】
前記サブバンドは、前記複数のワイヤレス通信デバイスのうちの２つ以上のデバイスに割り当てられる、請求項１に記載の方法。
【請求項８】
前記トーングループサイズは１であり、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、請求項１に記載の方法。
【請求項９】
前記トーングループサイズは１であり、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、請求項１に記載の方法。
【請求項１０】
前記トーングループサイズは１よりも大きく、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、請求項１に記載の方法。
【請求項１１】
前記トーングループサイズは１よりも大きく、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、請求項１に記載の方法。
【請求項１２】
前記ワイヤレス通信デバイスは、前記サブバンド内のＮ個に１個のトーンを割り振られ、ここでＮは、前記複数のワイヤレス通信デバイスのうちの、前記サブバンド内のトーンを割り当てられるワイヤレス通信デバイスの数である、請求項１に記載の方法。
【請求項１３】
前記ワイヤレス通信デバイスは、前記サブバンド内のＮ個に１個のトーングループにおける前記トーングループサイズに従って複数の連続するトーンを割り振られ、ここでＮは、前記複数のワイヤレス通信デバイスのうちの、前記サブバンド内のトーンを割り当てられるワイヤレス通信デバイスの数である、請求項１に記載の方法。
【請求項１４】
複数のワイヤレス通信デバイス間でトーンを割り振るように構成された装置であって、
命令を記憶するメモリと、
前記メモリと結合され、前記命令を実行するように構成されたプロセッサと、前記命令は、
前記複数のワイヤレス通信デバイス間で複数のトーンを分けるトーン割り振りを決定するためのものであり、ここにおいて前記プロセッサは、
１つまたは複数のサブバンドを決定することと、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループサイズを割り当てることと、ここにおいて前記トーングループサイズは、前記ワイヤレス通信デバイスが前記サブバンド内で割り振られる連続するトーンの数を示す、
を行うように構成されることによって、前記トーン割り振りを決定するように構成される、
前記ワイヤレス通信デバイスに前記トーン割り振りの少なくとも一部分のインジケーションを送信するように構成された送信機と、
を備える装置。
【請求項１５】
前記複数のトーンの各トーンが、前記複数のワイヤレス通信デバイスのうちの１つのワイヤレス通信デバイスにのみ割り振られ、前記トーン割り振りは、アップリンクまたはダウンリンク直交周波数分割多元接続メッセージのうちの１つのために使用される、請求項１４に記載の装置。
【請求項１６】
前記送信機は、メッセージのヘッダにおいて前記インジケーションを送信することによって、前記ワイヤレス通信デバイスに前記トーン割り振りの少なくとも一部分の前記インジケーションを送信するように構成される、請求項１４に記載の装置。
【請求項１７】
前記送信機は、トリガメッセージにおいて前記インジケーションを送信することによって、前記ワイヤレス通信デバイスに前記トーン割り振りの少なくとも一部分の前記インジケーションを送信するように構成される、請求項１４に記載の装置。
【請求項１８】
前記送信機は、前記トーン割り振りを使用して前記複数のワイヤレス通信デバイスの各々にダウンリンクメッセージを送信するようにさらに構成される、請求項１４に記載の装置。
【請求項１９】
前記トーン割り振りを使用して前記ワイヤレス通信デバイスによって送信された、アップリンクメッセージを受信するように構成された受信機をさらに備える、請求項１４に記載の装置。
【請求項２０】
前記サブバンドは、前記複数のワイヤレス通信デバイスのうちの２つ以上のデバイスに割り当てられる、請求項１４に記載の装置。
【請求項２１】
前記トーングループサイズは１であり、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、請求項１４に記載の装置。
【請求項２２】
前記トーングループサイズは１であり、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、請求項１４に記載の装置。
【請求項２３】
前記トーングループサイズは１よりも大きく、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、請求項１４に記載の装置。
【請求項２４】
前記トーングループサイズは１よりも大きく、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、請求項１４に記載の装置。
【請求項２５】
前記ワイヤレス通信デバイスは、前記サブバンド内のＮ個に１個のトーンを割り振られ、ここでＮは、前記複数のワイヤレス通信デバイスのうちの、前記サブバンド内のトーンを割り当てられるワイヤレス通信デバイスの数である、請求項１４に記載の装置。
【請求項２６】
前記ワイヤレス通信デバイスは、前記サブバンド内のＮ個に１個のトーングループにおける前記トーングループサイズに従って複数の連続するトーンを割り振られ、ここでＮは、前記複数のワイヤレス通信デバイスのうちの、前記サブバンド内のトーンを割り当てられるワイヤレス通信デバイスの数である、請求項１４に記載の装置。
【請求項２７】
複数のワイヤレス通信デバイス間でトーンを割り振るための装置であって、
前記複数のワイヤレス通信デバイス間で複数のトーンを分けるトーン割り振りを決定するための手段と、ここにおいて前記トーン割り振りを決定するための手段は、
１つまたは複数のサブバンドを決定するための手段と、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループサイズを割り当てるための手段と、ここにおいて前記トーングループサイズは、前記ワイヤレス通信デバイスが前記サブバンド内で割り振られる連続するトーンの数を示す、
を備える、
前記ワイヤレス通信デバイスに前記トーン割り振りの少なくとも一部分のインジケーションを送信するための手段と、
を備える装置。
【請求項２８】
ワイヤレス通信のための方法を実施するように構成されたコンピュータ実行可能な命令を備える非一時的なコンピュータ可読記憶媒体であって、前記方法は、
複数のワイヤレス通信デバイス間で複数のトーンを分けるトーン割り振りを決定することと、ここにおいて前記トーン割り振りを決定することは、
１つまたは複数のサブバンドを決定することと、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループサイズを割り当てることと、ここにおいて前記トーングループサイズは、前記ワイヤレス通信デバイスが前記サブバンド内で割り振られる連続するトーンの数を示す、
を備える、
前記ワイヤレス通信デバイスに前記トーン割り振りの少なくとも一部分のインジケーションを送信することと、
を備える非一時的なコンピュータ可読記憶媒体。
【発明の詳細な説明】
【技術分野】
【０００１】
[0001]  本開示のある特定の態様は一般に、ワイヤレス通信に関し、より具体的には、ワイヤレス通信システムにおいてユーザ間でトーンを割り振るための方法および装置に関する。
【背景技術】
【０００２】
[0002]  多くの電気通信ステムでは、通信ネットワークが、いくつかの相互作用する空間的に隔てられたデバイス間でメッセージを交換するために使用される。ネットワークは、地理的範囲に従って分類され得、それらは、例えば、都市エリア、ローカルエリア、またはパーソナルエリアであり得る。こうしたネットワークは、それぞれ、ワイドエリアネットワーク（ＷＡＮ）、都市エリアネットワーク（ＭＡＮ）、ローカルエリアネットワーク（ＬＡＮ）、またはパーソナルエリアネットワーク（ＰＡＮ）と指定され得る。ネットワークはまた、様々なネットワークノードおよびデバイスを相互接続するために使用される交換／ルーティング技法（例えば、回線交換対パケット交換）、送信のために採用される物理媒体のタイプ（例えば、有線対ワイヤレス）、および使用される通信プロトコルのセット（例えば、インターネットプロトコルスイート、ＳＯＮＥＴ（同期型光ネットワーキング）、イーサネット（登録商標）等）に従って異なる。
【０００３】
[0003]  ワイヤレスネットワークは、ネットワーク要素が移動式であり、これにより、動的接続性のニーズを有する場合、またはネットワークアーキテクチャが、固定式ではなく、アドホックのトポロジにおいて形成される場合によく好まれる。ワイヤレスネットワークは、無線、マイクロ波、赤外線、光（optical）等の周波数帯域における電磁波を使用する無誘導伝搬モード（unguided propagation mode）にある無形物理媒体を採用する。ワイヤレスネットワークは、固定式有線ネットワークと比較されるとき、有利に、迅速なフィールド展開およびユーザの移動性を促進する。
【０００４】
[0004]  ワイヤレスネットワークにおけるデバイスは、相互間で情報を送信／受信できる。デバイス送信は互いに干渉し得、ある特定の送信が他の送信を選択的にブロックし得る。多くのデバイスが通信ネットワークを共有する場合、輻輳および非効率なリンク使用が結果として生じ得る。そのため、ワイヤレス通信ネットワークにおける通信効率を向上させるためのシステム、方法、および非コンピュータ可読媒体が必要とされる。
【発明の概要】
【０００５】
[0005]  添付の請求項の範囲内のシステム、方法、およびデバイスの様々な実施(implementations)は各々、いくつかの態様を有し、それらのどの１つも、本明細書で説明される望ましい属性を単独で担うものではない。添付の請求項の範囲を制限することなく、いくつかの卓越した特徴が本明細書で説明される。
【０００６】
[0006]  本明細書で説明される主題の１つまたは複数の実施の詳細が、添付図面および以下の説明で述べられる。他の特徴、態様、および利点は、説明、図面、および請求項から明らかになるだろう。以下の図の相対的な寸法が原寸通りに描かれていないことがあることは留意されたい。
【０００７】
[0007]  一態様では、複数のワイヤレス通信デバイス間でトーンを割り振る方法が提供される。方法は、複数のワイヤレス通信デバイス間で複数のトーンを分けるトーン割り振りを決定することを含む。トーン割り振りを決定することは、１つまたは複数のサブバンドを決定することを含み、各サブバンドは複数のトーンのサブセットを含む。トーン割り振りを決定することは、１つまたは複数のサブバンドのうちの１つのサブバンド内で複数のワイヤレス通信デバイスのうちの１つのワイヤレス通信デバイスにトーングループサイズを割り当てることをさらに含む。トーングループサイズは、そのワイヤレス通信デバイスがサブバンド内で割り振られ得る連続するトーンの数を示す。方法は、ワイヤレス通信デバイスにトーン割り振りの少なくとも一部分のインジケーションを送信することをさらに含む。
【０００８】
[0008]  様々な実施形態(embodiments)において、複数のトーンの各トーンが、複数のワイヤレス通信デバイスのうちの１つのワイヤレス通信デバイスにのみ割り振られ得、トーン割り振りは、アップリンクまたはダウンリンク直交周波数分割多元接続メッセージのうちの１つのために使用され得る。様々な実施形態において、ワイヤレス通信デバイスにトーン割り振りの少なくとも一部分のインジケーションを送信することは、メッセージのヘッダにおいてそのインジケーションを送信することを含み得る。様々な実施形態において、ワイヤレス通信デバイスにトーン割り振りの少なくとも一部分のインジケーションを送信することは、トリガメッセージにおいてそのインジケーションを送信することを含み得る。
【０００９】
[0009]  様々な実施形態において、方法は、トーン割り振りを使用して複数のワイヤレス通信デバイスの各々にダウンリンクメッセージを送信することをさらに含み得る。様々な実施形態において、方法は、トーン割り振りを使用してワイヤレス通信デバイスによって送信された、アップリンクメッセージを受信することをさらに含み得る。様々な実施形態において、サブバンドは、複数のワイヤレス通信デバイスのうちの２つ以上のデバイスに割り当てられ得る。
【００１０】
[0010]  様々な実施形態において、トーングループサイズは１であり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１であり得、１つまたは複数のサブバンドは複数のサブバンドを含み得、トーン割り振りは、トーングループサイズに従って、複数のサブバンドの各々内でワイヤレス通信デバイスにトーンを割り当て得る。様々な実施形態において、トーングループサイズは１よりも大きくあり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１よりも大きくあり得、１つまたは複数のサブバンドは複数のサブバンドを含み得、トーン割り振りは、トーングループサイズに従って、複数のサブバンドの各々内でワイヤレス通信デバイスにトーンを割り当て得る。
【００１１】
[0011]  様々な実施形態において、ワイヤレス通信デバイスは、サブバンド内のＮ個に１個のトーンを割り振られ得、ここでＮは、複数のワイヤレス通信デバイスのうちの、サブバンド内のトーンを割り当てられるワイヤレス通信デバイスの数であり得る。様々な実施形態において、ワイヤレス通信デバイスは、サブバンド内のＮ個に１個のトーングループにおけるトーングループサイズに従って複数の連続するトーンを割り振られ得、ここでＮは、複数のワイヤレス通信デバイスのうちの、サブバンド内のトーンを割り当てられるワイヤレス通信デバイスの数であり得る。様々な実施形態において、複数のワイヤレス通信デバイスの各ワイヤレス通信デバイスは、トーングループサイズおよび複数のサブバンドのうちの１つのサブバンドを割り当てられ得、サブバンド内のＮ個に１個のトーングループを割り振られ得、ここでＮは、複数のワイヤレス通信デバイスのうちの、サブバンド内のトーンを割り当てられるワイヤレス通信デバイスの数であり得る。
【００１２】
[0012]  別の態様は、複数のワイヤレス通信デバイス間でトーンを割り振るように構成された装置を提供する。装置は、命令を記憶する命令を含む。装置は、メモリと結合され、複数のワイヤレス通信デバイスの間で複数のトーンを分けるトーン割り振りを決定するための命令を実行するように構成されたプロセッサをさらに含む。プロセッサは、１つまたは複数のサブバンドを決定することによってトーン割り振りを決定するように構成され、各サブバンドは複数のトーンのサブセットを含む。プロセッサは、１つまたは複数のサブバンドのうちの１つのサブバンド内で複数のワイヤレス通信デバイスのうちの１つのワイヤレス通信デバイスにトーングループサイズを割り当てることによってトーン割り振りを決定するようにさらに構成される。トーングループサイズは、そのワイヤレス通信デバイスがサブバンド内で割り振られ得る連続するトーンの数を示す。装置は、ワイヤレス通信デバイスにトーン割り振りの少なくとも一部分のインジケーションを送信するように構成された送信機をさらに含む。
【００１３】
[0013]  様々な実施形態において、複数のトーンの各トーンが、複数のワイヤレス通信デバイスのうちの１つのワイヤレス通信デバイスにのみ割り振られ得、トーン割り振りは、アップリンクまたはダウンリンク直交周波数分割多元接続メッセージのうちの１つのために使用され得る。様々な実施形態において、送信機は、ワイヤレス通信デバイスにトーン割り振りの少なくとも一部分のインジケーションを、メッセージのヘッダにおいてそのインジケーションを送信することによって、送信するように構成され得る。様々な実施形態において、送信機は、ワイヤレス通信デバイスにトーン割り振りの少なくとも一部分のインジケーションを、トリガメッセージにおいてそのインジケーションを送信することによって、送信するように構成され得る。
【００１４】
[0014]  様々な実施形態において、送信機は、トーン割り振りを使用して複数のワイヤレス通信デバイスの各々にダウンリンクメッセージを送信するようにさらに構成され得る。様々な実施形態において、装置は、トーン割り振りを使用してワイヤレス通信デバイスによって送信された、アップリンクメッセージを受信するように構成された受信機をさらに含み得る。様々な実施形態において、サブバンドは、複数のワイヤレス通信デバイスのうちの２つ以上のデバイスに割り当てられ得る。
【００１５】
[0015]  様々な実施形態において、トーングループサイズは１であり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１であり得、１つまたは複数のサブバンドは複数のサブバンドを含み得、トーン割り振りは、トーングループサイズに従って、複数のサブバンドの各々内でワイヤレス通信デバイスにトーンを割り当て得る。様々な実施形態において、トーングループサイズは１よりも大きくあり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１よりも大きくあり得、１つまたは複数のサブバンドは複数のサブバンドを含み得、トーン割り振りは、トーングループサイズに従って、複数のサブバンドの各々内でワイヤレス通信デバイスにトーンを割り当て得る。
【００１６】
[0016]  様々な実施形態において、ワイヤレス通信デバイスは、サブバンド内のＮ個に１個のトーンを割り振られ得、ここでＮは、複数のワイヤレス通信デバイスのうちの、サブバンド内のトーンを割り当てられるワイヤレス通信デバイスの数であり得る。様々な実施形態において、ワイヤレス通信デバイスは、サブバンド内のＮ個に１個のトーングループにおけるトーングループサイズに従って複数の連続するトーンを割り振られ得、ここでＮは、複数のワイヤレス通信デバイスのうちの、サブバンド内のトーンを割り当てられるワイヤレス通信デバイスの数であり得る。様々な実施形態において、複数のワイヤレス通信デバイスの各ワイヤレス通信デバイスは、トーングループサイズおよび複数のサブバンドのうちの１つのサブバンドを割り当てられ得、サブバンド内のＮ個に１個のトーングループを割り振られ得、ここでＮは、複数のワイヤレス通信デバイスのうちの、サブバンド内のトーンを割り当てられるワイヤレス通信デバイスの数であり得る。
【００１７】
[0017]  別の態様は、複数のワイヤレス通信デバイス間でトーンを割り振るための別の装置を提供する。装置は、複数のワイヤレス通信デバイス間で複数のトーンを分けるトーン割り振りを決定するための手段を含む。トーン割り振りを決定するための手段は、１つまたは複数のサブバンドを決定するための手段を含み、各サブバンドは複数のトーンのサブセットを含む。決定するための手段は、１つまたは複数のサブバンドのうちの１つのサブバンド内で複数のワイヤレス通信デバイスのうちの１つのワイヤレス通信デバイスにトーングループサイズを割り当てるための手段をさらに含み、ここにおいてそのトーングループサイズは、ワイヤレス通信デバイスがサブバンド内で割り振られ得る連続するトーンの数を示す。装置は、ワイヤレス通信デバイスにトーン割り振りの少なくとも一部分のインジケーションを送信するための手段をさらに含む。
【００１８】
[0018]  様々な実施形態において、複数のトーンの各トーンが、複数のワイヤレス通信デバイスのうちの１つのワイヤレス通信デバイスにのみ割り振られ得、トーン割り振りは、アップリンクまたはダウンリンク直交周波数分割多元接続メッセージのうちの１つのために使用され得る。様々な実施形態において、ワイヤレス通信デバイスにトーン割り振りの少なくとも一部分のインジケーションを送信するための手段は、メッセージのヘッダにおいてそのインジケーションを送信するための手段を含み得る。様々な実施形態において、ワイヤレス通信デバイスにトーン割り振りの少なくとも一部分のインジケーションを送信するための手段は、トリガメッセージにおいてそのインジケーションを送信するための手段を含み得る。
【００１９】
[0019]  様々な実施形態において、装置は、トーン割り振りを使用して複数のワイヤレス通信デバイスの各々にダウンリンクメッセージを送信するための手段を含み得る。様々な実施形態において、装置は、トーン割り振りを使用してワイヤレス通信デバイスによって送信された、アップリンクメッセージを受信するための手段をさらに含み得る。様々な実施形態において、サブバンドは、複数のワイヤレス通信デバイスのうちの２つ以上のデバイスに割り当てられ得る。
【００２０】
[0020]  様々な実施形態において、トーングループサイズは１であり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１であり得、１つまたは複数のサブバンドは複数のサブバンドを含み得、トーン割り振りは、トーングループサイズに従って、複数のサブバンドの各々内でワイヤレス通信デバイスにトーンを割り当て得る。様々な実施形態において、トーングループサイズは１よりも大きくあり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１よりも大きくあり得、１つまたは複数のサブバンドは複数のサブバンドを含み得、トーン割り振りは、トーングループサイズに従って、複数のサブバンドの各々内でワイヤレス通信デバイスにトーンを割り当て得る。
【００２１】
[0021]  様々な実施形態において、ワイヤレス通信デバイスは、サブバンド内のＮ個に１個のトーンを割り振られ得、ここでＮは、複数のワイヤレス通信デバイスのうちの、サブバンド内のトーンを割り当てられるワイヤレス通信デバイスの数であり得る。様々な実施形態において、ワイヤレス通信デバイスは、サブバンド内のＮ個に１個のトーングループにおけるトーングループサイズに従って複数の連続するトーンを割り振られ得、ここでＮは、複数のワイヤレス通信デバイスのうちの、サブバンド内のトーンを割り当てられるワイヤレス通信デバイスの数であり得る。様々な実施形態において、複数のワイヤレス通信デバイスの各ワイヤレス通信デバイスは、トーングループサイズおよび複数のサブバンドのうちの１つのサブバンドを割り当てられ得、サブバンド内のＮ個に１個のトーングループを割り振られ得、ここでＮは、複数のワイヤレス通信デバイスのうちの、サブバンド内のトーンを割り当てられるワイヤレス通信デバイスの数であり得る。
【００２２】
[0022]  別の態様は、非一時的なコンピュータ可読記憶媒体を提供する。媒体は、ワイヤレス通信のための方法を実施(implement)するように構成されたコンピュータ実行可能命令を含む。方法は、複数のワイヤレス通信デバイス間で複数のトーンを分けるトーン割り振りを決定することを含む。トーン割り振りを決定することは、１つまたは複数のサブバンドを決定することを含み、各サブバンドは複数のトーンのサブセットを含む。トーン割り振りを決定することは、１つまたは複数のサブバンドのうちの１つのサブバンド内で複数のワイヤレス通信デバイスのうちの１つのワイヤレス通信デバイスにトーングループサイズを割り当てることをさらに含む。トーングループサイズは、そのワイヤレス通信デバイスがサブバンド内で割り振られ得る連続するトーンの数を示す。方法は、ワイヤレス通信デバイスにトーン割り振りの少なくとも一部分のインジケーションを送信することをさらに含む。
【００２３】
[0023]  様々な実施形態において、複数のトーンの各トーンが、複数のワイヤレス通信デバイスのうちの１つのワイヤレス通信デバイスにのみ割り振られ得、トーン割り振りは、アップリンクまたはダウンリンク直交周波数分割多元接続メッセージのうちの１つのために使用され得る。様々な実施形態において、ワイヤレス通信デバイスにトーン割り振りの少なくとも一部分のインジケーションを送信することは、メッセージのヘッダにおいてそのインジケーションを送信することを含み得る。様々な実施形態において、ワイヤレス通信デバイスにトーン割り振りの少なくとも一部分のインジケーションを送信することは、トリガメッセージにおいてそのインジケーションを送信することを含み得る。
【００２４】
[0024]  様々な実施形態において、方法は、トーン割り振りを使用して複数のワイヤレス通信デバイスの各々にダウンリンクメッセージを送信することを含み得る。様々な実施形態において、方法は、トーン割り振りを使用してワイヤレス通信デバイスによって送信された、アップリンクメッセージを受信することをさらに含み得る。様々な実施形態において、サブバンドは、複数のワイヤレス通信デバイスのうちの２つ以上のデバイスに割り当てられ得る。
【００２５】
[0025]  様々な実施形態において、トーングループサイズは１であり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１であり得、１つまたは複数のサブバンドは複数のサブバンドを含み得、トーン割り振りは、トーングループサイズに従って、複数のサブバンドの各々内でワイヤレス通信デバイスにトーンを割り当て得る。様々な実施形態において、トーングループサイズは１よりも大きくあり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１よりも大きくあり得、１つまたは複数のサブバンドは複数のサブバンドを含み得、トーン割り振りは、トーングループサイズに従って、複数のサブバンドの各々内でワイヤレス通信デバイスにトーンを割り当て得る。
【００２６】
[0026]  様々な実施形態において、ワイヤレス通信デバイスは、サブバンド内のＮ個に１個のトーンを割り振られ得、ここでＮは、複数のワイヤレス通信デバイスのうちの、サブバンド内のトーンを割り当てられるワイヤレス通信デバイスの数であり得る。様々な実施形態において、ワイヤレス通信デバイスは、サブバンド内のＮ個に１個のトーングループにおけるトーングループサイズに従って複数の連続するトーンを割り振られ得、ここでＮは、複数のワイヤレス通信デバイスのうちの、サブバンド内のトーンを割り当てられるワイヤレス通信デバイスの数であり得る。様々な実施形態において、複数のワイヤレス通信デバイスの各ワイヤレス通信デバイスは、トーングループサイズおよび複数のサブバンドのうちの１つのサブバンドを割り当てられ得、サブバンド内のＮ個に１個のトーングループを割り振られ得、ここでＮは、複数のワイヤレス通信デバイスのうちの、サブバンド内のトーンを割り当てられるワイヤレス通信デバイスの数であり得る。
【図面の簡単な説明】
【００２７】
【図１】本開示の態様が採用され得るワイヤレス通信システムの例を例示する。
【図２】図１のワイヤレス通信システム内で採用され得るワイヤレスデバイスにおいて利用され得る様々なコンポーネントを例示する。
【図３】本開示のいくつかの態様に従って使用され得る実例的なサブバンド割り振りを例示する。
【図４】２０ＭＨｚの、４×シンボル持続時間送信のためのトーンが４ユーザ間で均等に割り振られる、分散型割り振りの実例的な例示である。
【図５】ＯＦＤＭＡ送信においてトーンを割り振るために使用され得るハイブリッド割り振りの実例的な例示である。
【図６】ＯＦＤＭＡ送信においてトーンを割り振るために使用され得る別のハイブリッド割り振りの実例的な例示である。
【図７】ＯＦＤＭＡ送信においてトーンを割り振るために使用され得る別のハイブリッド割り振りの実例的な例示である。
【図８】５つの割り振りの各々に従って様々なユーザによって使用され得るトーンを例示する表である。
【図９】７つの異なる基準に基づいた、サブバンド割り振りと分散型割り振りとの間の比較を例示する。
【図１０】７つの態様の各々に関して各々の割り振りスキームをランク付けする、５つの割り振りスキームの各々の間の直観的な（intuitive）比較を例示する。
【図１１Ａ】分散型割り振りがサブバンド割り振りに勝って（over）有し得る送信電力利点を例示する。
【図１１Ｂ】分散型割り振りがサブバンド割り振りに勝って有し得る送信電力利点を例示する。
【図１２】分散型割り振りおよびサブバンド割り振りに関する、両方が同じ電力を使用して送信されるときの、電力スペクトル密度プロットを例示する。
【図１３Ａ】スペクトルマスクコンプライアンスを例示する、分散型およびサブバンド割り振りに関する電力スペクトル密度プロットの例示である。
【図１３Ｂ】スペクトルマスクコンプライアンスを例示する、分散型およびサブバンド割り振りに関する電力スペクトル密度プロットの例示である。
【図１４Ａ】ＯＦＤＭＡユーザ間でのリークを例示する、分散型およびサブバンド割り振りに関する電力スペクトル密度プロットの例示である。
【図１４Ｂ】ＯＦＤＭＡユーザ間でのリークを例示する、分散型およびサブバンド割り振りに関する電力スペクトル密度プロットの例示である。
【図１５】分散型割り振りではなくサブバンドＯＦＤＭＡ割り振りを使用するときに可能である実際の（realistic）利得のチャート例示である。
【図１６】ある数の異なるメトリック上での分散型とサブバンド割り振りの間の比較を例示する。
【図１７】５ＧＨｚ周波数範囲における送信のために配慮され得るＭＨｚあたりのｄＢｍの考慮事項（consideration）を例示する。
【図１８】２．４ＧＨｚ周波数範囲における送信のために配慮され得るＭＨｚあたりのｄＢｍの考慮事項を例示する。
【図１９】図１７および図１８で見られる情報を生成するために使用されたテストケースを例示する。
【図２０】どの米国連邦通信委員会（ＦＣＣ）規則が５ＧＨｚスペクトルの様々な部分のために適用され得るかを例示する。
【図２１】どのＯＯＢＥ  ＦＣＣが、生じ得る様々なタイプの送信のために適用され得るかを例示する。
【図２２Ａ】２０、４０、および８０ＭＨｚ送信の各々に対する、ＩＥＥＥ８０２．１１ａｃにおける５ＨＧｚ帯域送信のためのスペクトルマスク要件をそれぞれ例示する。
【図２２Ｂ】２０、４０、および８０ＭＨｚ送信の各々に対する、ＩＥＥＥ８０２．１１ａｃにおける５ＨＧｚ帯域送信のためのスペクトルマスク要件をそれぞれ例示する。
【図２２Ｃ】２０、４０、および８０ＭＨｚ送信の各々に対する、ＩＥＥＥ８０２．１１ａｃにおける５ＨＧｚ帯域送信のためのスペクトルマスク要件をそれぞれ例示する。
【図２３】ＬＴＥ（登録商標）−Ｕ送信における２０ＭＨｚチャネルのための送信スペクトルマスク（ＵＮＩＩ−１）を例示する。
【図２４】２０ＭＨｚチャネル（ＵＮＩＩ−３）のための送信スペクトルマスクを例示する。
【図２５】ＥＴＳＩ送信スペクトル電力マスクを例示する。
【図２６Ａ】２０、４０、８０、および１６０ＭＨｚの各々に対する、ＩＥＥＥ８０２．１１ａｃのための絶対帯域外放射を例示する。
【図２６Ｂ】２０、４０、８０、および１６０ＭＨｚの各々に対する、ＩＥＥＥ８０２．１１ａｃのための絶対帯域外放射を例示する。
【図２６Ｃ】２０、４０、８０、および１６０ＭＨｚの各々に対する、ＩＥＥＥ８０２．１１ａｃのための絶対帯域外放射を例示する。
【図２６Ｄ】２０、４０、８０、および１６０ＭＨｚの各々に対する、ＩＥＥＥ８０２．１１ａｃのための絶対帯域外放射を例示する。
【図２７】本開示のいくつかの態様にしたがった、ワイヤレス通信のためのトーン割り振りを送信する実例的な方法である。
【詳細な説明】
【００２８】
[0054]  新規なシステム、装置、および方法の様々な態様が、添付の図面を参照して以下により十分に説明される。しかしながら、教示の開示は、多くの異なる形式で具現化され得、本開示全体を通して提示される何らかの指定の構造または機能に制限されるものとして解釈されるべきではない。むしろ、これらの態様は、本開示が徹底的で完全になり、当業者に本開示の範囲を十分に伝えることになるように提供される。本明細書における教示に基づいて、当業者は、本開示の範囲が、本発明の何か他の態様と組み合わされて実施されようとも、独立して実施されようとも、本明細書で開示される新規なシステム、装置、および方法のどの態様もカバーするように意図されることを認識すべきである。例えば、本明細書で述べられる任意の数の態様を使用して装置が実施され得る、または方法は実施され得る。加えて、本発明の範囲は、本明細書で述べられる発明の様々な態様に加えた、または、本明細書で述べられる発明の様々な態様以外の、他の構造、機能、または、構造および機能を使用して実施されるこうした装置または方法をカバーするように意図される。本明細書で開示される何れかの態様が請求項の１つまたは複数の要素によって具現化され得ることは理解されるべきである。
【００２９】
[0055]  特定の態様が本明細書で説明されるものの、これらの態様の多くのバリエーションおよび置換が、本開示の範囲内に含まれる。好まれる態様のいくつかの利益および利点が言及されるものの、本開示の範囲は、特定の利益、使用、または目的に制限されるようには意図されない。むしろ、本開示の態様は、異なるワイヤレス技術、システム構成、ネットワーク、および送信プロトコルに広く適用可能であるように意図され、そのうちの１つのいくつかは、好まれる態様の以下の説明および図において、例として例示される。詳細な説明および図面は単に、制限というよりはむしろ本開示を例示するものであり、本開示の範囲は、添付の請求項およびそれらの均等物によって定義される。
【００３０】
実施するデバイス
[0056]  ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近くのデバイスを互いに相互接続するために使用され得る。本明細書で説明される様々な態様は、Ｗｉ−Ｆｉ、またはより一般には、ＩＥＥＥ８０２．１１ワイヤレスプロトコルファミリの何れかのメンバのようなどの通信規格にも適用され得る。
【００３１】
[0057]  いくつかの態様において、ワイヤレス信号は、直交周波数分割多重化（ＯＦＤＭ）、直接拡散方式（ＤＳＳＳ：direct−sequence spread spectrum）通信、ＯＦＤＭとＤＳＳＳ通信の組合せ、または他のスキームを使用して高効率８０２．１１プロトコルに従って送信され得る。
【００３２】
[0058]  いくつかの実施では、ＷＬＡＮが、ワイヤレスネットワークにアクセスするコンポーネントである様々なデバイスを含む。例えば、２つのタイプのデバイス：アクセスポイント（「ＡＰ」）およびクライアント（局、すなわち「ＳＴＡ」とも称される）、が存在し得る。一般に、ＡＰは、ＷＬＡＮのための基地局またはハブとしての役割をし、ＳＴＡは、ＷＬＡＮのユーザとしての役割をし得る。例えば、ＳＴＡは、ラップトップコンピュータ、携帯情報端末（ＰＤＡ）、モバイル電話等であり得る。例えば、ＳＴＡは、ラップトップコンピュータ、携帯情報端末（ＰＤＡ）、モバイル電話機等であり得る。ある例では、ＳＴＡは、インターネットへの、または他のワイドエリアネットワークへの一般的な接続を取得するために、Ｗｉ−Ｆｉ（例えば、８０２．１１ａｘのようなＩＥＥＥ８０２．１１プロトコル）対応ワイヤレスリンクを介してＡＰに接続する。いくつかの実施において、ＳＴＡはＡＰとしても使用され得る。
【００３３】
[0059]  本明細書で説明される技法は、直交周波数分割多元接続（ＯＦＤＭＡ）のような、直交多重化スキームに基づく通信システムを含む、様々なブロードバンドワイヤレス通信システムのために使用され得る。ＯＦＤＭＡシステムは、全システム帯域幅を複数の直交サブキャリアに区分化する変調技法である直交周波数分割多重化（ＯＦＤＭ）を利用する。これらのサブキャリアはまた、トーン、ビン等とも呼ばれ得る。
【００３４】
[0060]  本明細書における教示は、様々な有線またはワイヤレス装置（例えば、ノード）に組み込まれ得る（例えば、様々な有線またはワイヤレス装置内で実施される、または様々な有線またはワイヤレス装置によって実行される）。いくつかの態様において、本明細書における教示に従って実施されるワイヤレスノードは、アクセスポイントまたはアクセス端末を備え得る。
【００３５】
[0061]  アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何か他の専門用語のものを備え得る、これらとして実施され得る、またはこれらとして周知であり得る。
【００３６】
[0062]  局（「ＳＴＡ」）はまた、ユーザ端末、アクセス端末（「ＡＴ」）、加入者局、加入者ユニット、移動局、遠隔局、遠隔端末、ユーザエージェント、ユーザデバイス、ユーザ機器、または何か他の専門用語のものを備え得る、これらとして実施され得る、またはこれらとして知られ得る。いくつかの実施では、アクセス端末が、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何か他の適した処理デバイスを備え得る。従って、本明細書で教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、パーソナルデータアシスタント）、エンターテインメントデバイス（例えば、音楽もしくはビデオデバイス、または衛星ラジオ）、ゲームデバイスまたはシステム、グローバルポジショニングシステムデバイス、あるいはワイヤレスの媒体を介して通信するように構成される何か他の適したデバイス中に、組み込まれ得る。
【００３７】
[0063]  図１は、本開示の態様が採用され得るワイヤレス通信システム１００の例を例示する。ワイヤレス通信システム１００は、ワイヤレス規格、例えば８０２．１１ａｘ規格、に準拠して動作し得る。ワイヤレス通信システム１００は、ＳＴＡ１０６と通信する、ＡＰ１０４を含み得る。
【００３８】
[0064]  様々なプロセスおよび方法が、ＡＰ１０４とＳＴＡ１０６との間のワイヤレス通信システム１００における送信のために使用され得る。例えば、信号は、ＯＦＤＭＡ技法に従って、ＡＰ１０４とＳＴＡ１０６との間で送信および受信され得る。この場合には、ワイヤレス通信システム１００は、ＯＦＤＭＡシステムと称され得る。
【００３９】
[0065]  ＡＰ１０４からＳＴＡ１０６のうちの１つまたは複数ヘの送信を容易にする通信リンクは、ダウンリンク（ＤＬ）１０８と称され得、ＳＴＡ１０６のうちの１つまたは複数からＡＰ１０４への送信を容易にする通信リンクは、アップリンク（ＵＬ）１１０と称され得る。代わりとして、ダウンリンク１０８は順方向リンクまたは順方向チャネルと称され得、アップリンク１１０は逆方向リンクまたは逆方向チャネルと称され得る。
【００４０】
[0066]  ＡＰ１０４は、基地サービスエリア（ＢＳＡ）１０２内にワイヤレス通信カバレッジを提供できる。ＡＰ１０４は、ＡＰ１０４と関連付けられ、通信のためにＡＰ１０４を使用するＳＴＡ１０６とともに、基本サービスセット（ＢＳＳ）と称され得る。ワイヤレス通信システム１００は、中央ＡＰ１０４を有さず、むしろＳＴＡ１０６間のピアツーピアネットワークとして機能し得ることは留意されるべきである。従って、本明細書で説明されるＡＰ１０４の機能は、代わりとして、ＳＴＡ１０６の１つまたは複数によって実行され得る。
【００４１】
[0067]  図２は、ワイヤレス通信システム１００内で採用され得るワイヤレスデバイス２０２において利用され得る様々なコンポーネントを例示する。ワイヤレスデバイス２０２は、本明細書で説明される様々な方法を実施するように構成され得るデバイスの例である。例えば、ワイヤレスデバイス２０２は、ＡＰ１０４、またはＳＴＡ１０６のうちの１つを備え得る。
【００４２】
[0068]  ワイヤレスデバイス２０２は、ワイヤレスデバイス２０２の動作を制御するプロセッサ２０４を含み得る。プロセッサ２０４は、中央処理ユニット（ＣＰＵ）とも称され得る。読取専用メモリ（ＲＯＭ）およびランダムアクセスメモリ（ＲＡＭ）の両方を含み得るメモリ２０６は、プロセッサ２０４に命令およびデータを提供する。メモリ２０６の一部はまた、不揮発性ランダムアクセスメモリ（ＮＶＲＡＭ）を含み得る。プロセッサ２０４は通常、メモリ２０６内に記憶されたプログラム命令に基づいて、論理および算術演算を実行する。メモリ２０６における命令は、本明細書で説明される方法を実施するように実行可能であり得る。
【００４３】
[0069]  プロセッサ２０４は、１つまたは複数のプロセッサを用いて実施される処理システムのコンポーネントを備え得る、または処理システムのコンポーネントであり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理回路、ディスクリートハードウェアコンポーネント、専用ハードウェア有限ステートマシン、または情報の計算あるいは他の操作を実行し得る何か他の適したエンティティ、の何れかの組合せで実施され得る。
【００４４】
[0070]  処理システムは、ソフトウェアを記憶するための機械可読媒体も含み得る。ソフトウェアは、ソフトウェア、ファームウェア、ミドルウェア、マイクロコード、ハードウェア記述言語、または別の形で称されるかどうかに関わらず、何らかのタイプの命令を意味するように広く解釈されるものとする。命令は、（例えば、ソースコードフォーマット、バイナリコードフォーマット、実行可能コードフォーマット、またはコードの何か他の適したフォーマットにおける）コードを含み得る。命令は、１つまたは複数のプロセッサによって実行される場合、処理システムに本明細書で説明される様々な機能を実行させる。
【００４５】
[0071]  ワイヤレスデバイス２０２はまた、ワイヤレスデバイス２０２と遠隔ロケーションとの間でのデータの送信および受信を可能にするために、送信機２１０およびは受信機２１２を含み得るハウジング２０８も含み得る。送信機２１０および受信機２１２は、トランシーバ２１４に結合され得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナ（図示せず）を含み得、それらは、例えば、ＭＩＭＯ通信中に利用され得る。
【００４６】
[0072]  ワイヤレスデバイス２０２はまた、トランシーバ２１４によって受信された信号のレベルを検出および量子化しようとするのに使用され得る信号検出器２１８を含み得る。信号検出器２１８は、総エネルギー、シンボルあたりのサブキャリアごとのエネルギー、電力スペクトル密度、および他の信号のような信号を検出し得る。ワイヤレスデバイス２０２はまた、信号を処理する際に使用するデジタル信号プロセッサ（ＤＳＰ）２２０も含み得る。ＤＳＰ２２０は、送信のために、データユニットを生成するように構成され得る。いくつかの態様において、データユニットは、物理レイヤデータユニット（ＰＰＤＵ）を備え得る。いくつかの態様において、ＰＰＤＵは、パケットと称される。
【００４７】
[0073]  ワイヤレスデバイス２０２は、いくつかの態様で、ユーザインタフェース２２２をさらに備え得る。ユーザインタフェース２２２は、キーバッド、マイクロフォン、スピーカ、および／またはディスプレイを備え得る。ユーザインタフェース２２２は、ワイヤレスデバイス２０２のユーザに情報を搬送する、および／またはユーザから入力を受信する何らかの要素またはコンポーネントを含み得る。
【００４８】
[0074]  ワイヤレスデバイス２０２の様々なコンポーネントは、バスシステム２２６によって互いに結合され得る。バスシステム２２６は、データパスはもちろん、例えば、データバスに加えた、電力バス（power bus）、制御信号バスおよびステータス信号バスを含み得る。当業者は、ワイヤレスデバイス２０２のコンポーネントが、いくつか他のメカニズムを使用して互いに結合され得る、またはインプットを受け取るか、または提供し得ることを認識するであろう。
【００４９】
[0075]  いくつかの別個のコンポーネントが図２で例示されるものの、当業者は、コンポーネントのうちの１つまたは複数が組み合わされる、または共通して（commonly）実施され得ることを認識するだろう。例えば、プロセッサ２０４は、プロセッサ２０４に関して上記で説明された機能を実行するだけでなく、信号検出器２１８および／またはＤＳＰ２２０に関して上で説明された機能を実施するためにも使用され得る。さらに、図２で例示されるコンポーネントの各々は、複数の別個の要素を使用して実施され得る。
【００５０】
[0076]  上で論じられたように、ワイヤレスデバイス２０２は、ＡＰ１０４またはＳＴＡ１０６を備え得、通信を送信および／または受信するために使用され得る。ワイヤレスネットワークにおけるデバイス間で交換される通信は、パケットまたはフレームを備え得るデータユニットを含み得る。いくつかの態様において、データユニットは、データフレーム、制御フレーム、および／または管理フレームを含み得る。データフレームは、ＡＰおよび／またはＳＴＡから他のＡＰおよび／またはＳＴＡにデータを送信するために使用され得る。制御フレームは、様々な動作を実行するために、およびデータを確実に配信する（例えば、データの受信を確認応答すること、ＡＰのポーリング、エリアクリアリング動作、チャネル獲得、キャリア感知維持機能等）のためにデータフレームと共に使用され得る。管理フレームは、様々な監視機能ために（例えば、ワイヤレスネットワークを連結すること、およびワイヤレスネットワークから外れること、等のために）使用され得る。
【００５１】
[0077]  本開示のある特定の態様は、ＡＰ１０４が効率を向上させるための最適化された方法でＳＴＡ１０６送信を割り振ることを可能にすることをサポートする。高効率ワイヤレス（ＨＥＷ）局、（８０２．１１ａｘのような）８０２．１１高効率プロトコルを利用する局、および（８０２．１１ｂのような）より旧型（older）またはレガシ８０２．１１プロトコルを使用する局の両方は、ワイヤレス媒体にアクセスする際に互いに競合または協調し得る。いくつかの実施形態では、本明細書で説明される高効率８０２．１１プロトコルは、ＨＥＷおよびレガシ局が、様々なＯＦＤＭトーンプラン（トーンマップとも称され得る）に従って相互動作することを可能にし得る。いくつかの実施形態において、ＨＥＷ局は、ＯＦＤＭＡにおける多元接続技法を使用することによってのような、より効率的な形でワイヤレス媒体にアクセスできる。従って、アパートビルまたは人口密度の高い公的スペースのケースでは、高効率８０２．１１プロトコルを使用するＡＰおよび／またはＳＴＡは、アクティブワイヤレスデバイスの数が増加し、それによりユーザエクスペリエンスを向上させたとしても、低減されたレイテンシおよび増加したネットワークスループットを経験し得る。いくつかの実施形態において、ＡＰ１０４は、ＨＥＷ  ＳＴＡのための様々なＤＬトーンプランに従ってワイヤレス媒体上で送信できる。例えば、図１に関して、ＳＴＡ１０６Ａ−１０６Ｄは、ＨＥＷ  ＳＴＡであり得る。いくつかの実施形態では、ＨＥＷ  ＳＴＡが、レガシＳＴＡのものの４倍のシンボル持続時間を使用して通信できる。従って、送信される各シンボルは、持続時間が４倍長くあり得る。より長いシンボル持続時間を使用するとき、個別のトーンの各々は、４分の１の大きさの帯域幅が送信されることのみを要求し得る。例えば、様々な実施形態において、１×シンボル持続時間は３．２ｍｓであり得、４×シンボル持続時間は１２．８ｍ．ｓであり得る。ＡＰ１０４は、通信帯域幅に基づいて、１つまたは複数のトーンプランに従って、ＨＥＷ  ＳＴＡ１０６Ａ−１０６Ｄにメッセージを送信できる。いくつかの態様において、ＡＰ１０４は、ＯＦＤＭＡを使用して、複数のＨＥＷ  ＳＴＡに同時に送信するように構成され得る。
【００５２】
ＯＦＤＭＡ送信における複数のユーザ間のトーン割り振り
[0078]  いくつかの態様において、ＯＦＤＭＡは、ある数の異なるデバイスが、同時に全帯域幅上で情報を、（ＵＬにおいて）送信するか、または（ＤＬにおいて）受信するかのどちらかを行うことを可能にし得る。一般に、帯域幅はある特定の数のトーンを含み得る。ＯＦＤＭＡ送信中、帯域幅における各トーンは、最大で１ユーザに割り振られ得る。ＯＦＤＭＡ送信における各ユーザは、ある特定の数のトーンを割り振られ得、ここにおいてそれらのトーンは、所与の送信のためにその特定の１ユーザに割り振られ、他のどのユーザにも割り振られない。従って、ＯＦＤＭＡ送信におけるユーザは通常、トーンを共有しない。
【００５３】
[0079]  ＯＦＤＭＡ送信においてユーザ間でトーンを割り振るためのある数の異なる方法が存在し得る。例えば、送信は、ある特定の数のトーンを含み得る。それらのトーンのいくつかは、ガードトーンおよびＤＣトーンとして使用され得る。トーンの残りは、各トーンが１ユーザ、すなわち１ユーザのみに割り当てられるように割り振られ得る。（ある特定のトーンがどのユーザにも割り当てられないこともまた可能であり得る。）例えば、ある特定のトーンは、共通のパイロットトーンとして指定され得る。これらのトーンは、ＯＦＤＭＡ送信の全てのユーザに対するパイロットトーンとして使用され得る。例えば、ＤＬ  ＯＦＤＭＡ送信において、送信（transmiting）デバイスは、パイロットトーンとしてこれらのトーンを使用でき、各受信（receiving）デバイスは、それらの共通のパイロットトーンを受信し、チャネル推定および他の目的のためにそれらのトーンを使用できる。従って、共通のパイロットトーンとして使用され得るトーンはどのユーザにも割り当てられないことがある。ある特定の送信では、ある特定の未使用または未占有のトーンもまた存在し得る。例えば、これらのトーンは、それらのトーン上で送信される必要がある待ち行列型データの欠如に起因して、または利用可能なトーンの全てが使用されることを要求しないトーンプランの使用に起因して、未使用であり得る。様々なトーン割り振りが、他のトーン割り振りに勝ってある特定に利点を有し得る。従って、トーン割り振りを決めるとき、トーン割り振りのためのある数の異なるオプションを再考し、様々なオプションの利点および欠点を再考することが有益であり得る。
【００５４】
[0080]  トーンを割り振るための１つのオプションが、サブバンド割り振りと称され得、それは、局所化割り振りとも称され得る。図３は、本開示のいくつかの態様に従って使用され得る実例的なサブバンド割り振りを例示する。サブバンド割り振りでは、全帯域幅がある数のサブバンドに分けられ得る。例えば、図３では、全帯域幅が４つのサブバンドに分けられた。それらのサブバンドの各々はその後、単一のユーザに割り当てられ、そのユーザは、そのサブバンドの各トーン上で送信（または受信）する。
【００５５】
[0081]  例えば、４×シンボル持続時間を持つ２０ＭＨｚ送信では、１１ガードトーンおよび５ＤＣトーンが存在し得る。これは、様々なユーザが使用すべき２４０トーンを残し得、これらは、パイロットトーン、データトーン、または（追加のガードまたはＤＣトーンのような）他のトーンとして使用され得る。従って、例示されるようにこれらのトーンが４ユーザの間で分けられるとき、各ユーザは６０トーンを割り当てられ得る。送信のトーンは、使用可能なトーンが、−１２２から−３まで、および３から１２２までで番号付けられるものである状態で、−１２８から１２７まで番号付けられ得る。従って、例えば、サブバンド割り振りを使用してトーンを割り当てるとき、ユーザ１は−１２２から−６３までの各トーンを割り当てられ得、ユーザ２は−６２から−３までの各トーンを割り当てられ得、ユーザ３は３から６２までの各トーンを割り当てられ得、ユーザ４は６３から１２２までの各トーンを割り当てられ得る。
【００５６】
[0082]  従って、サブバンド割り振りでは、各ユーザが、連続する周波数帯域を形成する１チャンクのトーンを占有する。どの他のユーザのトーンも、その周波数帯域内には位置しない。しかしながら、ＤＣトーンまたは共通の情報を搬送するトーン（パイロットトーン、制御情報のためのトーン）のような未占有のトーンは、ユーザトーン割り振り内に位置付けされ得る。
【００５７】
[0083]  様々なユーザにトーンを割り振るための別のオプションは、分散型割り振りと称され得る。図４は、２０ＭＨｚの、４×シンボル持続時間送信のためのトーンが４ユーザ間で均等に割り振られる分散型割り振りの実例的な例示である。一般に分散型割り振りにおいて、ユーザは、使用可能なトーンの全てのうちのＮ個に１個のトーンを割り振られ、ここでＮは、割り振りにおけるユーザの数である。一般に使用可能なトーンは、ガードトーン、直流電流トーン、および共通のパイロットトーンとして使用されていないトーンであり得る。一般に、本明細書で論じられている各トーン割り振りは、ガードトーン、ＤＣトーン、および共通のパイロットトーンを割り振ることではなく、これらの「使用可能な」トーンを割り振ることであることを留意されたい。従って、分散型割り振りにおいて、デバイスは、Ｎ個に１個の使用可能なトーンを割り振られ得、これは、それらの他のトーンを含まない。例えば、図４で例示されるように、分散型割り振りにおいて４ユーザが存在するとき、各ユーザは４個に１個のトーンを割り振られ得る。分散型割り振りは、トーンではなくリソースブロックを使用するセルラネットワークにおいて、過去使用されてきたが、ＩＥＥＥ８０２．１１プロトコルに基づいて組み立てられたネットワークにおいて使用されてきていない。
【００５８】
[0084]  一般に、分散型割り振りを使用して割り振られたＯＦＤＭＡ送信の例えば全帯域幅内で、Ｎ個の投入（populated）またはデータトーンに１個のトーンが特定のユーザに割り振られ、ここでＮはアクティブＯＦＤＭＡユーザの数である。上で着目されたように、これらのトーンは、ＤＣトーン、ガードトーン、および共通のパイロットトーンを含まない。図４で例示されるように、各ユーザのトーンは、ＯＦＤＭＡ送信のほとんど全帯域幅に広がる。Ｎが１よりも大きい場合、単一のユーザは２個の近接トーン上で、そのユーザのそれらの間に他のユーザのトーンが常に存在し得るので、送信しないことがあることが認められ得る。
【００５９】
[0085]  図５は、ＯＦＤＭＡ送信においてトーンを割り振るために使用され得るハイブリッド割り振りの実例的な例示である。いくつかの態様では、この割り振りが「タイプ１」ハイブリット割り振りと称され得る。前の例示と同様に、これは、４ユーザが２０ＭＨｚの４×シンボル持続時間送信を平等に共有することを例示する。この割り振りでは、全帯域幅がＢつのサブバンドに分けられ得る。アクティブＯＦＤＭＡユーザもまた、Ｂ個の相互排他的なグループに分けられ得る。ユーザの各グループは、分散型割り振りを使用して１つのサブバンド上で送信できる。つまり、Ｎユーザが特定のサブバンド上で送信するように割り振られる場合、それらのＮユーザの各々は、サブバンドのＮ個に１個のトーン上で送信できる。ここで例示されるように、トーンは、２ユーザが各割り振りのトーンを共有する状態の、２つの割り振りに分けられ得る。従って、各ユーザは、全帯域幅にわたって送信するのではなく、それらの割り当てられたサブバンドの２個に１個のトーン上で送信できる。
【００６０】
[0086]  一般に、各サブバンドは、同じ帯域幅を有する必要はないことを留意されたい。例えば、あるサブバンドは別のサブバンドよりも大きく有り得、より多くまたはより少ないサブバンドが使用され得る。さらに、各サブバンドが同じ数のユーザを有する必要はない。さらに、１つのサブバンドのみが使用される場合、この割り振りが分散型割り振りと同等であり得ることを留意されたい。さらに、各サブバンドが１ユーザのみを含む場合（例えば、４つのサブバンドが存在し、各サブバンドが単一のユーザに割り当てられる場合）、このタイプＩハイブリッド割り振りは、上で論じられたサブバンド（局所化）割り振りと同等であり得る。
【００６１】
[0087]  図６は、ＯＦＤＭＡ送信においてトーンを割り振るために使用され得る別のハイブリッド割り振りの実例的な例示である。いくつかの態様では、この割り振りが「タイプ２」ハイブリット割り振りと称され得る。ＯＦＤＭＡ送信の全帯域幅内で、ユーザがＮ個に１個の投入／データトーンブロックを割り振られ、ここでＮはアクティブＯＦＤＭＡユーザの数である。各トーンブロックは、ある数の連続する投入／データトーンを含み得る。ここで、トーンブロックは、Ｎユーザの各々に対してＴトーンを含み得る。図６で例示されるように、Ｔは４トーンであり得るか、または別の数のトーンであり得る。トーンブロックサイズが異なるユーザに対して異なり得ることは留意されたい。例えば、あるデバイスが別のデバイスの２倍の大きい帯域幅を割り振られる場合、そのデバイスは、２倍の数のトーンであるトーンブロックを有し得る。このハイブリッド割り振りにおいて、各ユーザのトーンは、ＯＦＤＭＡ送信のほとんど全帯域幅に広がる。Ｎが１よりも大きい場合、特定のデバイスからの各トーンブロックが同じデバイスからの別のトーンブロックに隣接しないことがあるが、その代わりに他のデバイスからのトーンブロックに隣接することになることは留意されたい。
【００６２】
[0088]  また、各デバイスに対するトーンブロックサイズが１である場合、このハイブリッド割り振りは分散型割り振りと同等であることにも留意されたい。さらに、各ブロックデバイスに対するトーンブロックサイズがそのデバイスに割り振られるトーンの数に等しい場合、このハイブリッド割り振りは、上で論じられたように、サブバンド割り振りと同等であり得る。
【００６３】
[0089]  図７は、ＯＦＤＭＡ送信においてトーンを割り振るために使用され得る別のハイブリッド割り振りの実例的な例示である。いくつかの態様において、この割り振りは「タイプ３」ハイブリット割り振りと称され得る。このハイブリッド割り振りは、いくつかの態様において、これらの割り振りの中で最も一般的であり得る。このハイブリッド割り振りでは、全帯域幅がＢつのサブバンドに分けられ得る。アクティブＯＦＤＭＡユーザは、Ｂ個の相互排他的なグループに分けられ得、これらのグループの各々は、１つ、そしてたった１つのサブバンドに割り当てられ得る。各サブバンドでは、Ｎユーザが、そのサブバンド上で送信するように割り当てられ得る。それらのＮユーザの各々は、Ｎ個に１個のトーングループ上で送信できる。前述同様、トーングループは、Ｔ個の連続するトーンを含み得る。しかしながら、各ユーザに対するトーングループサイズは、他のユーザに対するトーングループサイズと同一である必要はない。例えば、より多くの帯域幅を割り当てられるユーザは、他のユーザよりも大きいトーングループを有し得、その他のユーザはより少ないトーンを割り当てられている（were assigned）。さらに、各サブバンドが、各他のサブバンドと同じ数のユーザを有さないことがあることを留意されたい。例えば、より多くの帯域幅を割れ当てられるデバイスは、より少ない帯域幅を割り当てられるデバイスよりも少ないデバイスを有するサブバンドを割り当てられ得る。
【００６４】
[0090]  全てのユーザに対するトーンブロックサイズが１であるとき、この割り振りは、図５のタイプ１ハイブリッド割り振りと同等になることを留意されたい。さらに、サブバンドの数が１であるとき、このトーン割り振りは、図６のタイプ２ハイブリッド割り振りと同等になる。
【００６５】
[0091]  従って、概して、サブバンド（または局所化と呼ばれる）割り振り、分散型割り振り、および３つの異なるハイブリッド割り振りを含む、５つの異なる割り振りが提案される。タイプ１ハイブリッド割り振りが異なるサブバンドを用いる分散型割り振りである一方で、タイプ２ハイブリッド割り振りは、送信の全帯域幅においてであるが、個別のトーンではなくグループで分散される分散型割り振りである。最後に、タイプ３ハイブリッド割り振りは、タイプ２割り振りのグループを、タイプ１ハイブリッド割り振りのサブバンドと組み合わせる。
【００６６】
[0092]  図８は、５つの割り振りの各々に従って様々なユーザによって使用され得るトーンを例示する表である。これらのトーンは、４×シンボル持続時間を持つ２０ＭＨｚ送信を使用することに基づく。こうした送信は、インデックス［−１２８：１：１２７］−つまり、１ごとインクリメントする−１２８から１２７までのインデックス−を持つ、２５６ＦＦＴサイズを使用できる。こうした割り振りは、インデックス［−１２８：１：−１２３，１２３：１：１２７］を持つ、１１ガードトーンを含み得る。つまり、１刻みの（with increments of 1）の−１２８から−１２３までのインデックス、および１刻みのインデックス１２３から１２７までは、ガードトーンであり得る。５直流電流（ＤＣ）トーンは、インデックス［−２：１：２］を占有し得る。従って、残りの２４０トーンは、これらの実例的な割り振りにおいて、４ＯＦＤＭＡユーザ間で分けられ得る。従って、図８の表は、図３−７で例示された５トーン割り振りの各々において各ユーザに割り当てられるトーンを例示する。
【００６７】
[0093]  図９は、７つの異なる基準に基づいた、サブバンド割り振りと分散型割り振りとの間の比較を例示する。概して、分散型トーン割り振りは、送信機電力制限を満たすことに関してより優れて実行し得る。こうした制限は、特定の送信デバイスがある特定の帯域幅を介してある特定の電力を使用してのみ送信すべきであることを意味し得る。例えば、帯域幅の各１ＭＨｚに対して、デバイスごとに最大送信電力が存在し得る。従って、分散型割り振りは、デバイスが（全ての送信が単一のサブバンドにある状態にするのではなく）ＯＦＤＭＡ送信の全帯域幅にわたってその送信をより均等に配置することを可能にするので、こうした割り振りは、Ｔｘ電力制限に違反することがより難しいことを確実にし得る。
【００６８】
[0094]  しかしながら、サブバンド割り振りは、周波数選択スケジューリング利得およびチャネルスムージングに関してより望ましくあり得る。例えば、ある特定のデバイスは、他の帯域と比べて、ある特定の周波数帯域上で送信または受信できることがある。従って、サブバンド割り振りを使用するとき、それらのデバイスは、それらがより効率的に稼働する帯域上で送信または受信するように割り当てられ得る。しかしながら、分散型割り振りでは、これが可能ではないことがある。同様に、ユーザの各チャネルの利得が、そのユーザによって送信される他のチャネルに近いこと（proximity）に起因して増加され得るチャネルスムージングは、サブバンド割り振りを奨励し得る。
【００６９】
[0095]  域外放射（out of bounds emissions）およびスペクトルマスク要件に関して、分散型割り振りがサブバンドトーン割り振りよりも多い、その帯域の外の放射を有し得るので、分散型割り振りは、サブバンドトーン割り振りと比較されると、いくらかの余分なバックオフを必要とし得る。
【００７０】
[0096]  近接ＯＦＤＭＡトーンへのリークに関しては、分散型割り振りがより優れ得る。例えば、所与のトーン上で送信するデバイスは、近接トーンにいくらかの電力を「リーク」し得る。デバイスがある数の近隣トーン上で送信しているとき、このリークは付加的であり得る。従って、サブバンド割り振りにおいて、デバイスは、近接ＯＦＤＭＡトーンによりずっと大量の電力をリークし得る。
【００７１】
[0097]  割り振りはまた、近接チャネルに対するブロックに関しても査定され得る。例えば、近接チャネル干渉物（interferer）は、ＯＦＤＭＡ信号であり得る。分散型ＯＦＤＭＡ割り振りについて、こうした干渉の影響は、同じ帯域幅の非ＯＦＤＭＡ送信と類似であるはずである。サブバンドＯＦＤＭＡ干渉物では、その影響がサブバンドロケーションに依存し得る。例えば、パフォーマンス低下をブロックする最悪のケースを量子化するためにシミュレーションが必要とされ得る。
【００７２】
[0098]  いくつかの態様では、規制上の考慮事項（regulatory considerations）もまた、割り振りを選ぶときに考慮され得る。例えば、欧州電気通信標準化機構（ＥＴＳＩ）は、ワイヤレス通信に作用し得るある数の規則を有する。例えば、いくつかの重要な規則は、
・名目チャネル帯域幅が、常に少なくとも５ＭＨｚであることとする
・占有チャネル帯域幅が、宣言された名目チャネル帯域幅の８０％と１００％との間にあることとする。スマートアンテナシステム（複数の送信チェーンを持つデバイス）のケースでは、送信チェーンの各々がこの要件を満たすこととする
・デバイスが４０ＭＨｚ以上の名目チャネル帯域幅モードで動作する確立された通信中、デバイスは、最小値１６ＭＨｚの（with a minimum of 16 MHz）その名目チャネル帯域幅の８０％を下回る占有チャネル帯域幅で一時的に動作することが可能にされる
を含み得る。
【００７３】
[0099]  これらの規則は、各デバイスが占有帯域幅の少なくとも８０％上で送信しなければならないので、ＵＬ  ＯＦＤＭＡ送信における５ＭＨｚを下回るどの帯域幅も、分散型割り振りまたはタイプＩＩハイブリッド割り振りを使用するときにのみ可能であるだろうことを示すようである。しかしながら、ＥＴＳＩが、ＩＥＥＥ８０２．１１ｎのための４０ＭＨｚ  ＢＳＳにおける２０ＭＨｚ送信を許容するため、およびＩＥＥＥ８０２．１１ａｃのための８０ＭＨｚ  ＢＳＳにおける２０ＭＨｚ送信を許容するために、過去２回それらの規則を変えてきたことは留意されるべきである。従って、これらの規則は再び変えられ得る。しかしながら、ＬＴＥ−Ｕ（無認可帯域におけるロングタームエボリューション）で使用されるように、一般に、より少ない規制上のリスクが分散型割り振りを使用することに存在し得る。従って、規制上のリスクは、分散型割り振りの使用を奨励し得る。
【００７４】
[00100]  ここで例示されるトーン割り振りの各々は、どのトーンプランとも一緒に使用され得ることを留意されたい。例えば、これらのトーン割り振りは、１×または４×のどちらかのシンボル持続時間のためのトーンプランと一緒に使用され得、ある数の異なる可能なトーンプランと一緒に使用され得る。トーンプランが、例えばＤＬにおいて、全てのユーザに対して共通のパイロットトーンを使用する場合、ここで説明される割り振りスキームは、共通のパイロットトーンではなく、データトーンにのみに適用され得ることを留意されたい。専用パイロットトーンが各ユーザに提供される場合、割り振りスキームは、データとパイロットトーンの両方を伴う投入トーンに適用され得る。
【００７５】
[00101]  さらに、ここで説明されるトーン割り振りスキームは、トーンプランから、ならびにＢＢＣ（バイナリ畳み込みコード）インターリービングおよびＬＤＰＣ（低密度パリティ検査）トーンマッピングから独立し得る。このことは、トーンプラン、ＢＣＣインターリービング、およびＬＤＰＣトーンマッピングのうちのどのチョイスも前述のトーン割り振りスキームのうちのどの１つも使用できることを意味する。例えば、１つの割り振りから形成されたＸトーンを用いるトーンプランは、ＢＣＣインターリービングＬＤＰＣトーンマッピングにおける２つのレベルのマッピングを使用できる。第１のレベルは、ＸトーンのＢＣＣインターリービング／ＬＤＰＣトーンマッピングを実行するための仮想インデックスマッピングを含み得る。第２のレベルは、第１の（1st）レベルからの出力を割り振りスキームによって定義されたトーンインデックスにマッピングできる。（他のユーザよりも大きい帯域幅を割り当てられるユーザのような）組み合わされた２つ以上のトーンプランから形成されたＸトーンを用いるトーンプランもまた、ＢＣＣインターリービングＬＤＰＣトーンマッピングにおける２つのレベルのマッピングにおける２つのレベルのマッピングを使用できる。第１のレベルは、各トーンプランに関するＢＣＣインターリービング／ＬＤＰＣトーンマッピングを実行するための仮想インデックスマッピングを含み得る。第２のレベルで、全てのトーンプランから生成された第１の（1st）レベルからの全ての出力が、割り振りスキームによって定義されたトーンインデックスにマッピングされ得る。
【００７６】
[00102]  サブバンド（局所化とも呼ばれる）割り振りと分散型割り振りとの間の比較を踏まえると、図１０は、７つの態様の各々に関して各割り振りスキームをランク付けする、５つの割り振りスキームの各々の直観的比較を例示する。これらの比較が単に実例的であることを留意されたい。いくつかの態様では、さらなるテストが、これらの結果を立証するために行われ得る。概して、この表では、２つのスキームがおおよそ等しい
【００７７】
【数１】
2017533621.tif 000003
【００７８】
と言われている場合、このことは、それらのスキームが類似のパフォーマンス特性を有し得、さらに、数値研究がそれらのスキーム間のわずかな差を比較するために必要とされ得ることを意味する。いくつかの態様において、これらの態様の各々におけるパフォーマンスは、少なくとも部分的に割り振りのうちのどれが最良であり得るかを決定するのを助けるために使用され得る。
【００７９】
[00103]  割り振りの各々はＰＳＤ制限に起因したＴｘ電力、ＯＯＢＥおよびマスクコンプライアンス、異なるＯＦＤＭＡユーザ間でのリーク、ブロッキング、サブバンド選択利得、スムージング利得、スペックへの影響、および規制上の考慮事項を含む、ある数の異なるファクタを使用して比較され得る。
【００８０】
[00104]  図１１Ａおよび図１１Ｂは、分散型割り振りがサブバンド割り振りに勝って有し得る送信電力利点を例示する。一般に、電力制限は１ＭＨｚ分解能で定義され得る。つまり、デバイスは、帯域幅の各１ＭＨｚ部分間である特定の電力を使用して送信することが許可され得る。分散型割り振りでは、トーンを全帯域にわたって広げられた状態にすることが、これらの制限に違反することをより難しくする。例えば、２４ｄＢｍの全電力制限、および１１ｄＢｍ／ＭＨｚのさらなる電力制限が存在し得る。図１１Ａおよび図１１Ｂは、ＳＴＡがＵＬ  ＯＦＤＭＡ送信において使用することを可能にされ得る電力に対するこれらの特定の制限の影響を例示する。これらの図で例示されるように、ＳＴＡは、８ユーザが存在しようと１６ユーザが存在しようと、どのトーン帯域幅に対しても、分散型割り振りにおいてより多い電力を使用して送信できることがある。従って、送信電力制限に関して、分散型割り振りは、サブバンド割り振りに勝って好ましくあり得る。
【００８１】
[00105]  図１２は、分散型割り振りおよびサブバンド割り振りに関する、両方が同じ電力を使用して送信されるときの、電力スペクトル密度プロットを例示する。この電力スペクトル密度プロットは、７８．１２５ｋＨｚの分解能帯域幅（ＲＢＷ）を含む。ここで使用されるトーン間隔は、他のＩＥＥＥ８０２．１１プロトコルと比較されると、４×シンボル持続時間に基づく。このプロットでは、ほぼ１００ｋＨｚ  ＲＢＷが１１ａｃ測定のために使用される。一般に、分散型送信では、２０ＭＨｚ送信と比較されると、わずかにより高いスパイクが観測され得る。サブバンド送信では、より高い電力スペクトル密度が、ユーザに割り振られた帯域において、および３ＭＨｚ以下分帯域外のエリアにおいて観測され得る。従って、一般に、同じ電力を使用して送信するとき、サブバンド割り振りがより高いピーク電力スペクトル密度を含むことが観測され得る。
【００８２】
[00106]  図１３Ａおよび図１３Ｂは、スペクトルマスクコンプライアンスを例示する、分散型およびサブバンド割り振りに関する電力スペクトル密度プロットの例示である。これらのプロットの各々において、信号は、それらの帯域内ピーク電力スペクトル密度（ＰＳＤ）によって正常化される。この帯域内ピークＰＳＤは、７８．１２５ｋＨｚ（図１３Ａ）または１ＭＨｚ（図１３Ｂ）のＲＢＷで測定される。これらのプロットの各々では、ＦＣＣおよび他の規制機関の要件よりも厳しくあり得る、ＩＥＥＥ８０２．１１ａｃのためのスペクトルマスクが例示される。
【００８３】
[00107]  図１４Ａおよび図１４Ｂは、ＯＦＤＭＡユーザ間でのリークを例示する、分散型およびサブバンド割り振りに関する電力スペクトル密度プロットの例示である。一般に、分散型アップリンクＯＦＤＭＡは、ＳＴＡ間でのより少ないリークをもたらすかもしれない。近接トーンへの電力リークは、サブバンド（局所化）に関する−２３ｄＢ対分散型に関する−３０ｄＢである。しかしながら、サブバンド割り振りを使用することは、ガードトーンが異なるユーザの間に配置されることを可能にし得る。しかしながら、それはまたは、サブバンド割り振りにおけるリークを、分散型割り振りのレベルに低減するために、３ＭＨｚのトーンが各ユーザの周りに配置されることを要求できる。
【００８４】
[00108]  ブロッキングパフォーマンスもまた、サブバンドと分散型割り振りの間で比較され得る。ここで、近接チャネル干渉物は、ＯＦＤＭＡ信号である。分散型割り振りでは、ブロッキングの影響が、同じ帯域幅の非ＯＦＤＭＡ送信と類似し得る。サブバンド割り振りでは、ブロッキングの影響がサブバンドロケーションに依存し得る。例えば、パフォーマンス低下をブロックする最悪のケースを量子化するためにシミュレーションが必要とされ得る。
【００８５】
[00109]  いくつかの態様では、サブバンドベースのＯＦＤＭＡが、分散型トーン割り振りに勝っていくつかの利得を与えることができる。例えば、ＳＴＡは、それらの最良のサブチャネルに割り振られ得、ここにおいてデバイスは、最も効率的に送信または受信できる。図１５は、分散型割り振りではなくサブバンドＯＦＤＭＡ割り振りを使用するときに可能である実際の利得のチャート例示である。これらの値は、Ｄ−ＮＬＯＳチャネルにおいて、ｄＢで図示される。これらは、１０％フェーディングで線形平均化チャネル利得を比較することによって生成され得る。いくつかの態様では、様々なＳＴＡの最良のチャネルの衝突もまた、考慮される。一般に、ここでのＳＴＡの数は、最小の割り振りサイズによって分けられる送信の全帯域幅に対応し得る。従って、例えば、２０ＭＨｚ送信および５ＭＨｚ最小の割り振りサイズが存在するとき、例示される数は、４つのＳＴＡが存在するシナリオを反映できる。
【００８６】
[00110]  一般に、分散型割り振りは、サブバンド割り振りよりもスムーズなことに僅かに従うものであり得る。例えば、ユーザのトーンは、周波数において遠く離れるように間隔を空けられ得る。従って、スムージング利得の損失は、１ｄＢをわずかに上回り得る。チャネル推定誤差に起因した信号対雑音比（ＳＮＲ）損失βは、式：
【００８７】
【数２】
2017533621.tif 000004
【００８８】
を使用して概算され得る。
【００８９】
[00111]  ここで、ｐはチャネル推定対データトーンのＳＮＲ比である。一般に、スムージングが行われないときｐは１に等しくあり得、周波数ドメインスムージングではｐは２に等しくあり得る。
【００９０】
[00112]  いくつかの態様では、割り振りスキームを選ぶことが、ＰＨＹプロトコル設計の他の態様に影響を与え得る。例えば、影響の可能なエリアは、ＳＩＧフィールド設計を含み得る。例えば、分散型オプションではユーザを順序付けることがあまり重要にならないことがある。従って、ユーザを順序付けることがあまりできないことがあるグループＩＤベースのプロトコルが使用され得る。同じ全体の数のトーンがユーザ間に分けられることになるので、それらがそれ程敏感であるはずがないため、トーンプラン選択が作用されるだろうことはありそうにない。さらに、分散型オプションは、こうしたオプションが依然としてハイブリッド割り振りを使用して利用可能であり得るものの、異なる２０ＭＨｚ帯域にＳＴＡを予め割り振ることを不可能にし得る。さらに、分散型割り振りは、ハイブリッドオプションが助け得るものの、ＯＦＤＭＡを使用する干渉管理を困難にし得る。
【００９１】
[00113]  図１６は、ある数の異なるメトリック上での分散型とサブバンド割り振りとの間の比較を例示する。例えば、分散型割り振りは、１．２５、２．５、および５ＭＨｚトーンを使用するとき、それぞれサブバンド割り振りよりも６、９、または１２ｄＢ分多い電力を送信できることがある。しかしながら、周波数選択スケジューリング利得は、結果としてサブバンド割り振りで１から２ｄＢ分より良好な信号をもたらし得る。同様に、チャネルスムージングは、結果としてサブバンド割り振りで１ｄＢ分より良好な信号をもたらし得る。分散型割り振りはまた、スペクトルマスク要件および帯域外放射に関して、余分なバックオフを要求し得る。分散型割り振りは、サブバンド割り振りに関する−２３ｄＢｒのリークと比較されると、−３０ｄＢｒリークで、他のデバイスの近接ＯＦＤＭＡトーンにより少ないリークを有し得る。サブバンド割り振りにおける隣接チャネルのブロッキングは、サブバンド干渉物がチャネルエッジにある場合、より悪化し得る。最後に、上で着目されたように、規制上のリスクは分散型割り振りで、こうした割り振りが既にＥＴＳＩガイドラインを満たし得るので、より低くあり得る。
【００９２】
[00114]  図１７は、５ＧＨｚ周波数範囲における送信のために配慮され得るＭＨｚあたりのｄＢｍの考慮事項を例示する。いくつかの態様において、この図は、インテンショナルラジエータのＦＣＣ専門用語が、ワイヤレスアクセスポイント、ルータ、またはブリッジのようなワイヤレス機器の送信機電力であることを反映し得る。さらに、アンテナ利得が６ｄＢｉよりも大きい場合、最大伝導性電力と最大電力スペクトル密度の両方が低減されることは留意され得る。さらに、レーダー干渉検出機能を持たないスレーブデバイスでは、ポイント対ポイント最大国際ラジエータ電力( point-to-point maximum international radiator power)が２３ｄＢｍであり得る。他のデバイスでは、これは３０ｄＢｍであり得、５ＭＨｚの帯域幅を想定すると、ユーザごとの最大電力は２４ｄＢｍであり得る。
【００９３】
[00115]  図１８は、２．４ＧＨｚ周波数範囲における送信のために配慮され得るＭＨｚあたりのｄＢｍの考慮事項を例示する。一般に、これらのＦＣＣ考慮事項は、最大６ｄＢｉアンテナ利得を持つ電力スペクトル密度の制限を配慮し得る。アンテナが６ｄＢｉよりも大きい場合、出力電力は、アンテナ利得のｄＢｉごとの１ｄＢｉ分低減されなければならない。
【００９４】
[00116]  図１９は、図１７および図１８で見られる情報を生成するために使用されたテストケースを例示する。一般に、４×シンボル持続時間を持つ送信信号に関するＰＳＤ波形が４つのケース：２０ＭＨｚ送信を送信する単一のユーザ、２０ＭＨｚ送信における５ＭＨｚ局所化割り振りを用いる単一のユーザ、２０ＭＨｚ送信における５ＭＨｚ分散型割り振りを用いる単一ユーザ、のために生成された。一般に、送信された信号のデータ部分のみが、これらの提案されたもののために研究され、ＫｎｅｅパラメータＰ＝３およびＰＡバックオフ＝４ｄＢを用いるＲａｐｐＰＡモデルが使用された。
【００９５】
[00117]  トーン割り振りを選ぶとき、５ＧＨｚ帯域のための帯域外放射（ＯＯＢＥ）要件を考慮することもまた役立ち得る。図２０は、どの米国連邦通信委員会（ＦＣＣ）規則が５ＧＨｚスペクトルの様々な部分のために適用され得るかを例示する。図２１は、どのＯＯＢＥ  ＦＣＣが、生じ得る様々なタイプの送信のために適用され得るかを例示する。
【００９６】
[00118]  例えば、ＦＣＣ規則１５．２４７（ｄ）は、認証された周波数帯域の外のどの１００ｋＨｚ帯域幅でも、電力がある特定の条件に従って減衰されることになると規定する。第１に、最大ピーク伝導性出力電力プロシージャが１５．２４７（ｂ）（３）要件に対するコンプライアンスを実証するために使用された場合、認証された周波数帯域の外のどの１００ｋＨｚ帯域幅で測定されたピーク伝導性出力電力も、１００ｋＨｚにおける最大帯域内ピークＰＳＤレベルと比較して少なくとも２０ｄＢ分減衰されることとする。第２に、最大伝導性出力電力が１５．２４７（ｂ）（３）要件に対するコンプライアンスを実証するために使用された場合、認証された周波数帯域の外のどの１００ｋＨｚ帯域幅のピーク電力も、１００ｋＨｚにおける最大帯域内平均ＰＳＤレベルと比較して少なくとも３０ｄＢ分減衰されることとする。しかしながら、どちらのケースでも、セクション１５．２０９（ａ）で規定される一般的な放射制限を下回るレベルへの減衰は要求されない。
【００９７】
[00119]  ＦＣＣ規則１５．４０７（ｂ）は、望ましくない放射制限を説明している。このセクションの段落（ｂ）（６）で示されることを除いて、動作の周波数帯域の外のピーク放射は以下の制限に従って減衰されることとする：
・５．１５−５．２５ＧＨｚ帯域で動作する送信機では、５．１５−５．３５ＧＨｚ帯域の外の全ての放射が、−２７ｄＢｍ／ＭＨｚのＥＩＲＰを越えないこととする。
・５．２５−５．３５ＧＨｚ帯域で動作する送信機では、５．１５−５．３５ＧＨｚ帯域の外の全ての放射が、−２７ｄＢｍ／ＭＨｚのＥＩＲＰを越えないこととする。５．１５−５．２５ＧＨｚ帯域で放射を生成する５．２５−５．３５ＧＨｚ帯域で動作するデバイスは、（屋内使用を含む）５．１５−５．２５ＧＨｚ帯域での動作のための全ての適用可能な技術的要件を満たすか、または代わりとして、５．１５−５．２５ＧＨｚ帯域における−２７ｄＢｍ／ＭＨｚの帯域外放射ＥＩＲＰ制限を満たすことをしなければならない。
・５．４７−５．７２５ＧＨｚ帯域で動作する送信機では、５．４７−５．７２５ＧＨｚ帯域の外の全ての放射が、−２７ｄＢｍ／ＭＨｚのＥＩＲＰを越えないこととする。
・５．７２５−５．８２５ＧＨｚ帯域で動作する送信機では、帯域エッジから、１０ＭＨｚ分帯域エッジより上か、または下までの周波数範囲内の全ての放射が、−１７ｄＢｍ／ＭＨｚのＥＩＲＰを越えないこととし、帯域エッジより１０ＭＨｚ以上分上か、または下の周波数では、放射が、−２７ｄＢｍ／ＭＨｚのＥＩＲＰを越えないこととする。
【００９８】
[00120]  図２２Ａ、図２２Ｂ、および図２２Ｃは、２０、４０、および８０ＭＨｚ送信の各々に対する、ＩＥＥＥ８０２．１１ａｃにおける５ＨＧｚ帯域送信のためのスペクトルマスク要件をそれぞれ例示する。図２３は、ＬＴＥ−Ｕ送信における２０ＭＨｚチャネルのための送信スペクトルマスク（ＵＮＩＩ−１）を例示する。一般に、最大レベル（０ｄＢｃ）は、「Ｐｗｒ＿ａｎｔｅｎｎａ−１０ｌｏｇ１０（１８）」として計算され、これは、統合された１８ＭＨｚ電力からｄＢｍ／Ｈｚにアンテナポート電力をコンバートする。図２４は、２０ＭＨｚチャネルのための送信スペクトルマスク（ＵＮＩＩ−３）を例示する。図２５は、ＥＴＳＩ送信スペクトル電力マスクを例示する。ここで、５ＧＨｚ  ＲＬＡＮ帯域は、２つのサブバンド：５１５０ＭＨｚから５３５０ＭＨｚまで、および５４７０ＭＨｚから５７２５ＭＨｚまで、から成る全周波数範囲を含む。このマスクはＶＨＴ８０をサポートするように緩和された。ここで、第１のロールオフは、帯域エッジ（帯域内）ではなく、２で分けられる帯域幅でスタートする。図２６Ａ−２６Ｄは、２０、４０、８０、および１６０ＭＨｚの各々に対する、ＩＥＥＥ８０２．１１ａｃのための絶対帯域外放射を例示する。
【００９９】
[00121]  図２７は、複数のワイヤレス通信デバイスにトーン割り振りを送信する実例的な方法２７００である。いくつかの態様において、この方法は、ＡＰ１０４または別のワイヤレスデバイスによって行われ得る。この方法は、ＵＬまたはＤＬ  ＯＦＤＭＡ送信のどちらかを含む、ＯＦＤＭＡ送信のための割り振りをシグナリングするために使用され得る。
【０１００】
[00122]  ブロック２７１０で、ＡＰ１０４は、複数のワイヤレス通信デバイス間で複数のトーンを分けるトーン割り振りを決定する。ＡＰ１０４は、１つまたは複数のサブバンドを決定することと、各サブバンドは、複数のトーンのサブセットを備え、１つまたは複数のサブバンドのうちの１つのサブバンド内で複数のワイヤレス通信デバイスのうちの１つのワイヤレス通信デバイスにトーングループサイズを割り当てることと、によってトーン割り振りを決定する。トーングループサイズは、ワイヤレス通信デバイスがサブバンド内で割り振られる連続するトーンの数を示す。
【０１０１】
[00123]  例えば、各サブバンドは、１つまたは複数のワイヤレス通信デバイスに割り当てられ得、各ワイヤレス通信デバイスは、１つのサブバンドに割り当てられ得る。それらのデバイスの各々は、そのサブバンドを使用して送信または受信のどちらかを行うように構成され得る。２つ以上のデバイスが同じサブバンドに割り当てられる場合、それらのデバイスは、そのサブバンドでトーンのサブセットのみを使用して送信するように構成され得る。例えば、それらのデバイスの各々は、図５および図７で例示されるようなトーンを使用して送信するように構成され得る。いくつかの態様において、ＡＰ１０４は、どのサブバンドに様々なデバイスを割り当てるべきかを、特定のサブバンドにおけるそのデバイスのパフォーマンスおよび能力に少なくとも部分的に基づいて決定できる。例えば、所与のデバイスは、所与のサブバンドでより効率的に送信および／または受信でき得、それによりこのサブバンドに割り当てられ得る。例えば、ＡＰ１０４は、どのデバイスが各サブバンドで最も効率的に動作し得るかを決定するのを助けるために、サブバンド特有利得情報を決定または受信するように構成され得る。
【０１０２】
[00124]  いくつかの態様では、異なるデバイスが、異なるトーングループサイズを割り当てられ得る。例えば、特定のデバイスに割り当てられるトーングループサイズが、アップリンクまたはダウンリンクのどちらかで、そのデバイスのために待ち行列に入れられるデータの量に少なくとも部分的に決定され得る。例えば、比較的大きい量のデータを送信または受信することを望むデバイスは、より大きいトーングループサイズを割り当てられ得る。いくつかの態様では、様々なデバイスのトーングループが、図６で例示される方法で組織化され得る。いくつかの態様では、図７で例示されるように、サブバンドとトーングループの両方が一緒に使用され得る。
【０１０３】
[00125]  ブロック２７２０で、ＡＰ１０４は、複数のワイヤレス通信デバイスの各々に、トーン割り振りの少なくとも一部のインジケーションを送信する。例えば、トーン割り振り、またはその少なくとも一部分のインジケーションは、アップリンクＯＦＤＭＡメッセージのためのトリガメッセージに含まれ得、それは、デバイスにどのデバイスがＵＬ  ＯＦＤＭＡメッセージで送信するための機会を有し得るかを通知し得、またデバイスにどのトーン上でそれらが送信できるかを通知し得る。いくつかの態様において、この送信は、そのメッセージのヘッダにおけるような、ＤＬ  ＯＦＤＭＡメッセージの一部として送信され得る。例えば、ＤＬ  ＯＦＤＭＡメッセージは、送信におけるデータを有するデバイスを識別し、それらのデバイスにどのトーン上でそれらのデータが送信され得るかを通知し得るヘッダを含み得る。いくつかの態様において、デバイスはさらに、様々なデバイスにＤＬ  ＯＦＤＭＡメッセージを送信できる。いくつかの態様において、デバイスはさらに、トーン割り振りを使用して送信されるＵＬ  ＯＦＤＭＡメッセージを受信できる。
【０１０４】
[00126]  様々な実施形態において、複数のトーンの各トーンが、複数のワイヤレス通信デバイスのうちの１つのワイヤレス通信デバイスにのみ割り振られ得、トーン割り振りは、アップリンクまたはダウンリンク直交周波数分割多元接続メッセージのうちの１つのために使用され得る。様々な実施形態において、ワイヤレス通信デバイスにトーン割り振りの少なくとも一部分のインジケーションを送信することは、メッセージのヘッダにおいてそのインジケーションを送信することを含み得る。様々な実施形態において、ワイヤレス通信デバイスにトーン割り振りの少なくとも一部分のインジケーションを送信することは、トリガメッセージにおいてそのインジケーションを送信することを含み得る。
【０１０５】
[00127]  様々な実施形態において、方法は、トーン割り振りを使用して複数のワイヤレス通信デバイスの各々にダウンリンクメッセージを送信することを含み得る。様々な実施形態において、方法は、トーン割り振りを使用してワイヤレス通信デバイスによって送信される、アップリンクメッセージを受信することをさらに含み得る。様々な実施形態において、サブバンドは、複数のワイヤレス通信デバイスのうちの２つ以上のデバイスに割り当てられ得る。
【０１０６】
[00128]  様々な実施形態において、トーングループサイズは１であり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１であり得、１つまたは複数のサブバンドは複数のサブバンドを含み得、トーン割り振りは、トーングループサイズに従って、複数のサブバンドの各々内でワイヤレス通信デバイスにトーンを割り当て得る。様々な実施形態において、トーングループサイズは１よりも大きくあり得、１つまたは複数のサブバンドは単一のサブバンドを含み得、トーン割り振りは、トーングループサイズに従って、単一のサブバンド内でワイヤレス通信デバイスにトーンを割り当て得る。様々な実施形態において、トーングループサイズは１よりも大きくあり得、１つまたは複数のサブバンドは複数のサブバンドを含み得、トーン割り振りは、トーングループサイズに従って、複数のサブバンドの各々内でワイヤレス通信デバイスにトーンを割り当て得る。
【０１０７】
[00129]  様々な実施形態において、ワイヤレス通信デバイスは、サブバンド内のＮ個に１個のトーンを割り振られ得、ここでＮは、複数のワイヤレス通信デバイスのうちの、サブバンド内のトーンを割り当てられるワイヤレス通信デバイスの数であり得る。様々な実施形態において、ワイヤレス通信デバイスは、サブバンド内のＮ個に１個のトーングループにおけるトーングループサイズに従って複数の連続するトーンを割り振られ得、ここでＮは、複数のワイヤレス通信デバイスのうちの、サブバンド内のトーンを割り当てられるワイヤレス通信デバイスの数であり得る。様々な実施形態において、複数のワイヤレス通信デバイスの各ワイヤレス通信デバイスは、トーングループサイズおよび複数のサブバンドのうちの１つのサブバンドを割り当てられ得、サブバンド内のＮ個に１個のトーングループを割り振られ得、ここでＮは、複数のワイヤレス通信デバイスのうちの、サブバンド内のトーンを割り当てられるワイヤレス通信デバイスの数であり得る。
【０１０８】
[00130]  ある実施形態において、図２７で図示される方法は、決定回路、割り当て回路、および送信回路を含み得るワイヤレスデバイスにおいて実施され得る。当業者は、ワイヤレスデバイスが、本明細書で説明される簡略化されたワイヤレスデバイスよりも多くのコンポーネントを有し得ることを認識するだろう。本明細書で説明されるワイヤレスデバイスは、請求項の範囲内の実施のいくつかの卓越した特徴を説明するのに役立つそれらのコンポーネントのみを含む。
【０１０９】
[00131]  決定回路は、トーン割り振りを決定する、および／または１つまたは複数のサブバンドを決定するように構成され得る。いくつかの実施形態では、生成回路が、図２７のブロック２７１０の少なくとも一部分を実行するように構成され得る。決定回路は、プロセッサ２０４（図２）、メモリ２０６（図２）、およびＤＳＰ２２０（図２）のうちの１つまたは複数を含み得る。いくつかの実施において、決定するための手段は、決定回路を含み得る。
【０１１０】
[00132]  割り当て回路は、トーン割り振りを割り当てる、および／または１つまたは複数のサブバンドを割り当てるように構成され得る。いくつかの実施形態では、生成回路が、図２７のブロック２７１０の少なくとも一部分を実行するように構成され得る。割り当て回路は、プロセッサ２０４（図２）、メモリ２０６（図２）、およびＤＳＰ２２０（図２）のうちの１つまたは複数を含み得る。いくつかの実施において、割り当てるための手段は、割り当て回路を含み得る。
【０１１１】
[00133]  送信回路は、トーン割り振りに従って、トーン割り振り、トーン割り振りの少なくとも一部分のインジケーション、および／またはパケットを送信するように構成され得る。いくつかの実施形態では、送信回路が、図２７の少なくともブロック２７２０を実行するように構成され得る。送信回路は、送信機２１０（図２）、アンテナ２１６（図２）、およびトランシーバ２１４（図２）のうちの１つまたは複数を含み得る。いくつかの実施において、送信するための手段は、送信回路を含み得る。
【０１１２】
[00134]  様々な実施形態において、ワイヤレスデバイスは、受信回路をさらに含み得る。受信回路は、トーン割り振りに従ってパケットを受信するように構成され得る。受信回路は、受信機２１２（図２）、アンテナ２１６（図２）、およびトランシーバ２１４（図２）のうちの１つまたは複数を含み得る。いくつかの実施において、受信するための手段は、受信回路を含み得る。
【０１１３】
[00135]  当業者は、情報および信号が、様々な異なる技術および技法のどれを使用しても表され得ることを理解するだろう。例えば、上記の説明全体を通して参照され得るデータ、命令、コマンド、情報、信号、ビット、シンボル、およびチップは、電圧、電流、電磁波、電磁場もしくは磁性粒子、光学場もしくは光学粒子、またはそれらの任意の組合せによって表され得る。
【０１１４】
[00136]  本開示で説明される実施に対する様々な変更は、当業者にとって容易に明らかであり、本明細書で定義される一般的な原理は、本開示の範囲または趣旨から逸脱することなく他の実施に適用され得る。従って、本開示は、本明細書に図示される実施に制限されるように意図されていないが、本明細書で開示される請求項、原理および新規な特徴と一致する最も広い範囲を与えられることとなる。「実例的」という言葉は、本明細書において、「例、事例、または例示としての役割を果たす」という排他的な意味で使用される。「実例的」ものとして本明細書で説明される何れかの実施は、必ずしも、他の実施よりも好まれる、または有利であると解釈されるべきではない。
【０１１５】
[00137]  別個の実施のコンテキストで本明細書において説明されるある特定の特徴もまた、単一の実施で組み合わせて実施され得る。反対に、単一の実施のコンテキストで説明される様々な特徴もまた、複数の実施で別個に、または何らかの適したサブコンビネーションで実施され得る。さらに、特徴はある特定の組合せで作動するとして上で説明され、最初からでさえそのように請求され得るものの、請求される組合せからの１つまたは複数の特徴は、いくつかのケースで、その組合せから削除され得、請求される組合せは、サブコンビネーション、またはサブコンビネーションのバリエーションを対象とし得る。
【０１１６】
[00138]  本明細書で使用される場合、項目のリスト「のうちの１つの少なくとも１つ」を指すフレーズは、単一のメンバを含む、それらの項目の任意の組合せを指す。例として、「ａ、ｂ、またはｃのうちの１つの少なくとも１つ」は、ａ、ｂ、ｃ、ａ−ｂ、ａ−ｃ、ｂ−ｃ、およびａ−ｂ−ｃをカバーするように意図される。
【０１１７】
[00139]  上で説明された方法の様々な動作が、様々なハードウェアおよび／またはソフトウェアのコンポーネント（複数を含む）、回路、および／またはモジュール（複数を含む）のような動作を実行する能力がある何らかの適した手段によっても実行され得る。概して、図で例示された何らかの動作は、動作を実行する能力がある対応する機能的手段によって実行され得る。
【０１１８】
[00140]  本開示と関係して説明された、様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理回路、ディスクリートハードウェアコンポーネント、あるいは、本明細書で説明される機能を実行するように設計された、それらの何れかの組合せを用いて実施または実行され得る。汎用プロセッサは、マイクロプロセッサであり得るが、その代わりに、プロセッサは、何らかの商業的に利用可能なプロセッサ、コントローラ、マイクロコントローラ、またはステートマシンであり得る。プロセッサは、コンピューティングデバイスの組合せ、例えば、ＤＳＰとマイクロプロセッサの組合せ、複数のマイクロプロセッサ、ＤＳＰコアと連結した１つまたは複数のマイクロプロセッサ、または何か他のそのような構成、としても実施され得る。
【０１１９】
[00141]  １つまたは複数の態様において、説明される機能は、ハードウェア、ソフトウェア、ファームウェア、またはそれらの何らかの組合せで実施され得る。ソフトウェアで実施される場合、機能は、コンピュータ可読媒体上で１つまたは複数の命令またはコードとして、記憶または送信され得る。コンピュータ可読媒体は、１つの場所から別の場所へのコンピュータプログラムの転送を容易にする何らかの媒体を含む通信媒体とコンピュータ記憶媒体との両方を含む。記憶媒体は、コンピュータによってアクセスされ得る何らかの利用可能な媒体であり得る。制限ではなく例として、そのようなコンピュータ可読媒体は、ＲＡＭ、ＲＯＭ、ＥＥＰＲＯＭ（登録商標）、ＣＤ−ＲＯＭまたは他の光学ディスクストレージ、磁気ディスクストレージまたは他の磁気記憶デバイス、あるいはデータ構造または命令の形態で所望のプログラムコードを記憶または搬送するために使用され得る、かつコンピュータによってアクセスされ得る何か他の媒体を備え得る。また、何らかの接続手段がコンピュータ可読媒体と適切に名付けられる。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイディスク（disc）を含み、ここでディスク（disk）は大抵、磁気的にデータを再生する一方で、ディスク（disc）は、レーザーを用いて光学的にデータを再生する。従って、いくつかの態様では、コンピュータ可読媒体が、非一時的なコンピュータ可読媒体（例えば、有体媒体）を備え得る。加えていくつかの態様では、コンピュータ可読媒体が、一時的なコンピュータ可読媒体（例えば、信号）を備え得る。上記の組合せもまた、コンピュータ可読媒体の範囲内に含まれるべきである。
【０１２０】
[00142]  本明細書で開示さている方法は、説明された方法を達成するための１つまたは複数のステップまたはアクションを備える。方法のステップおよび／またはアクションは、請求項の範囲から逸脱することなく、互いに入れ替えられ得る。言い換えると、ステップまたはアクションの指定の順序が規定されない限り、指定のステップおよび／またはアクションの順序および／または使用は、請求項の範囲から逸脱することなく変更され得る。
【０１２１】
[00143]  さらに、本明細書で説明される方法および技法を実行するためのモジュールおよび／または他の適切な手段がダウンロードされ得る、および／または別の形で、適用可能である場合ユーザ端末および／または基地局によって取得され得ることは認識されるべきである。例えば、そのようなデバイスは、本明細書で説明される方法を実行するための手段の転送を容易にするためにサーバに結合され得る。代わりとして、本明細書で説明される様々な方法は、記憶手段（例えば、ＲＡＭ、ＲＯＭ、コンパクトディスク（ＣＤ）またはフロッピーディスクのような物理記憶媒体等）を介して、ユーザ端末および／または基地局が、デバイスに記憶手段を結合または提供する際に様々な方法を取得し得るように、提供され得る。さらに、本明細書で説明される方法および技法をデバイスに提供するための何か他の適した技法が、利用され得る。
【０１２２】
[00144]  前述の内容は本開示の態様を対象としているものの、本開示の他のおよびさらなる態様が、その基本的な範囲から逸脱することなく考案され得、その範囲は、以下に続く請求項によって決定される。
【図１】
2017533621.tif 000005
【図２】
2017533621.tif 000006
【図３】
2017533621.tif 000007
【図４】
2017533621.tif 000008
【図５】
2017533621.tif 000009
【図６】
2017533621.tif 000010
【図７】
2017533621.tif 000011
【図８】
2017533621.tif 000012
【図９】
2017533621.tif 000013
【図１０】
2017533621.tif 000014
【図１１Ａ】
2017533621.tif 000015
【図１１Ｂ】
2017533621.tif 000016
【図１２】
2017533621.tif 000017
【図１３Ａ】
2017533621.tif 000018
【図１３Ｂ】
2017533621.tif 000019
【図１４Ａ】
2017533621.tif 000020
【図１４Ｂ】
2017533621.tif 000021
【図１５】
2017533621.tif 000022
【図１６】
2017533621.tif 000023
【図１７】
2017533621.tif 000024
【図１８】
2017533621.tif 000025
【図１９】
2017533621.tif 000026
【図２０】
2017533621.tif 000027
【図２１】
2017533621.tif 000028
【図２２Ａ】
2017533621.tif 000029
【図２２Ｂ】
2017533621.tif 000030
【図２２Ｃ】
2017533621.tif 000031
【図２３】
2017533621.tif 000032
【図２４】
2017533621.tif 000033
【図２５】
2017533621.tif 000034
【図２６Ａ】
2017533621.tif 000035
【図２６Ｂ】
2017533621.tif 000036
【図２６Ｃ】
2017533621.tif 000037
【図２６Ｄ】
2017533621.tif 000038
【図２７】
2017533621.tif 000039
【国際調査報告】
2017533621.tif 000040
2017533621.tif 000041
2017533621.tif 000042
2017533621.tif 000043
2017533621.tif 000044